(57)【要約】  電子機器は、第一面及び前記第一面の背面に設けられた第二面を有する筐体と、前記筐体のうち前記第一面に設けられた表示部と、前記筐体のうち前記第二面に設けられ、前記第二面における接触の有無及び接触位置を検出する検出部と、前記検出部とユーザーの手との接触に基づいて、前記筐体を保持する前記ユーザーの手が左右のいずれであるかを判別する制御装置と、を備える。
2013084820.tif 000002
【特許請求の範囲】
【請求項１】
第一面及び前記第一面の背面に設けられた第二面を有する筐体と、
前記筐体のうち前記第一面に設けられた表示部と、
前記筐体のうち前記第二面に設けられ、前記第二面における接触の有無及び接触位置を検出する検出部と、
前記検出部とユーザーの手との接触に基づいて、前記筐体を保持する前記ユーザーの手が左右のいずれであるかを判別する制御装置と、
を備える電子機器。
【請求項２】
前記制御装置は、前記検出部と前記ユーザーの手との接触領域の大きさに基づいて、前記筐体を保持する前記ユーザーの手が左右のいずれであるかを判別する
請求項１に記載の電子機器。
【請求項３】
前記検出部は、接触による静電容量の変化を検出する電極である
請求項１又は請求項２に記載の電子機器。
【請求項４】
前記検出部は、前記第二面に設定される基準位置を基準として所定方向の一方側と他方側とで非対称となる形状に形成されている
請求項１から請求項３のうちいずれか一項に記載の電子機器。
【請求項５】
前記検出部は、前記所定方向の一方側及び他方側のうち少なくとも一方に配置されている
請求項４に記載の電子機器。
【請求項６】
前記検出部は、前記所定方向の一方側から他方側へ向けて帯状に形成されている
請求項４又は請求項５に記載の電子機器。
【請求項７】
前記検出部は、前記所定方向の一方側から他方側へ向けて徐々に細くなるように形成されている
請求項６に記載の電子機器。
【請求項８】
前記筐体は、一方向に長手となるように形成され、
前記所定方向は、前記一方向に交差する第一方向に設定される
請求項１から請求項７のうちいずれか一項に記載の電子機器。
【請求項９】
前記筐体は、一方向に長手となるように形成され、
前記所定方向は、前記一方向に平行な第二方向に設定される
請求項１から請求項８のうちいずれか一項に記載の電子機器。
【発明の詳細な説明】
【技術分野】
【０００１】
本発明は、電子機器に関する。
本願は、２０１１年１２月５日に出願された日本国特願２０１１−２６６１４４号に基づき優先権を主張し、その内容をここに援用する。
【背景技術】
【０００２】
携帯電話や携帯情報端末などの電子機器として、例えば特許文献１が知られている。特許文献１に示すような電子機器においては、例えば板状に設けられた筐体の一の面に表示部が設けられており、この一の面のうち表示部の周囲の領域や筐体の側部などに操作部が設けられた構成が知られている。
【先行技術文献】
【特許文献】
【０００３】
【特許文献１】日本国特開２０１０−８６０８９号
【発明の概要】
【発明が解決しようとする課題】
【０００４】
しかしながら、従来の電子機器においては、ユーザーの操作性に改善の余地がある。本発明の態様は、操作性を一層向上させた電子機器を提供する。
【課題を解決するための手段】
【０００５】
本発明の態様に従えば、第一面及び前記第一面の背面に設けられた第二面を有する筐体と、前記筐体のうち前記第一面に設けられた表示部と、前記筐体のうち前記第二面に設けられ、前記第二面における接触の有無及び接触位置を検出する検出部と、前記検出部とユーザーの手との接触に基づいて、前記筐体を保持する前記ユーザーの手が左右のいずれであるかを判別する制御装置と、を備える電子機器が提供される。
【発明の効果】
【０００６】
本発明の態様によれば、操作性を一層向上させた電子機器を提供することができる。
【図面の簡単な説明】
【０００７】
【図１】本発明の実施形態に係る携帯情報端末の構成を示す斜視図である。
【図２】本実施形態に係る携帯情報端末の一部の構成を示す側面図である。
【図３】本実施形態に係る携帯情報端末の一部の構成を示す断面図である。
【図４】本実施形態に係る携帯情報端末の一部の構成を示す背面図である。
【図５】本実施形態に係る携帯情報端末の一部の構成を示す断面図である。
【図６】本実施形態に係る携帯情報端末の制御装置の構成を示すブロック図である。
【図７】本実施形態に係る携帯情報端末の使用態様の一例を示す図である。
【図８】本実施形態に係る携帯情報端末の使用態様の一例を示す図である。
【図９】本発明の変形例に係る携帯情報端末の一部の構成を示す背面図である。
【図１０】本発明の変形例に係る携帯情報端末の一部の構成を示す背面図である。
【図１１】本発明の変形例に係る携帯情報端末の一部の構成を示す背面図である。
【図１２】本発明の変形例に係る携帯情報端末の一部の構成を示す背面図である。
【図１３】本発明の変形例に係る携帯情報端末の一部の構成を示す背面図である。
【図１４】本発明の変形例に係る携帯情報端末の一部の構成を示す背面図である。
【図１５】本発明の変形例に係る携帯情報端末の一部の構成を示す背面図である。
【図１６】本発明の変形例に係る携帯情報端末の一部の構成を示す背面図である。
【発明を実施するための形態】
【０００８】
以下、図面を参照して、本発明の実施形態を説明する。  
図１は、本実施形態に係る携帯情報端末ＥＱＰの構成を示す斜視図である。  
図１に示すように、携帯情報端末ＥＱＰは、筐体ＦＬ、表示部ＤＰ、操作部ＳＤ及び制御装置ＣＯＮＴを有している。
【０００９】
筐体ＦＬは、例えば矩形の板状に形成されており、表示部ＤＰ及び操作部ＳＤを保持する。  
表示部ＤＰは、筐体ＦＬのうち板面に設けられている。筐体ＦＬのうちこの表示部ＤＰが設けられる面を、以下、表示面Ｆｅと表記する。表示部ＤＰは、例えば液晶装置や有機ＥＬ装置などを有する表示パネルＰＮを有している。表示パネルＰＮが設けられる表示領域には、例えばタッチパネルＴＰが設けられている。
【００１０】
操作部ＳＤは、筐体ＦＬのうち表示面Ｆｅを囲む４辺に相当する４つの側面Ｆａ〜Ｆｄに設けられている。操作部ＳＤは、側面Ｆａに設けられた側部検出部ＳＤ１、側面Ｆｂに設けられた側部検出部ＳＤ２、側面Ｆｃに設けられた側部検出部ＳＤ３及び側面Ｆｄに設けられた側部検出部ＳＤ４を有している。操作部ＳＤは、側部検出部ＳＤ１〜ＳＤ４において外部からの（例えばユーザーの）接触の有無及び接触位置を検出する。
【００１１】
図２は、操作部ＳＤの一部の構成を示す図である。図２には、側面Ｆｂに設けられた側部検出部ＳＤ２の構成を代表させて示しているが、他の側部検出部ＳＤ１、ＳＤ３及びＳＤ４についても同様の説明が可能である。
【００１２】
図２に示すように、側面Ｆｂのほぼ中央部には、検出領域２０が設けられている。検出領域２０は、側面Ｆｂの長手方向に一致する方向に長手に形成された矩形の領域である。
【００１３】
側部検出部ＳＤ２は、検出領域２０に設けられた電極１０を有している。電極１０は、検出領域２０の長手方向に並べられた複数の表面側電極１０ａを有している。
【００１４】
図３は、側部検出部ＳＤ２の構成を示す断面図である。図３には、図２と同様に、側面Ｆｂに設けられた側部検出部ＳＤ２の構成を代表させて示しているが、他の側部検出部ＳＤ１、ＳＤ３及びＳＤ４についても同様の説明が可能である。
【００１５】
図３に示すように、各表面側電極１０ａは、側面Ｆｂの他の部分と面一状態となるように配置されている。また、各表面側電極１０ａは、それぞれ内部側電極１０ｂと対向するように配置されている。表面側電極１０ａと内部側電極１０ｂとの間には、それぞれ誘電体１０ｃが配置されている。このように、電極１０は、表面側電極１０ａと内部側電極１０ｂとの間で形成される容量電極を有している。各容量電極は、それぞれ制御装置ＣＯＮＴに接続されている。
【００１６】
例えばユーザーの指などが検出領域２０の一部分に接触すると、電極１０のうち接触された部分に配置される表面側電極１０ａと内部側電極１０ｂとの間の静電容量が変化するようになっている。また、検出領域２０の一部分に接触していたユーザーの指などの接触状態が解除されると、表面側電極１０ａと内部側電極１０ｂとの間の静電容量が元の状態に戻るようになっている。
【００１７】
このように、側部検出部ＳＤ２では、電極１０における接触部分の静電容量が局所的に変化するように構成されている。このような静電容量の変化は、制御装置ＣＯＮＴに送信されるようになっている。制御装置ＣＯＮＴでは、この静電容量の変化を検出することにより、外部からの接触の有無及び接触位置を算出可能となっている。なお、例えばユーザーが検出領域２０に沿って接触部分を移動させる場合、静電容量の変化する位置が接触部分の移動に伴って移動する。制御装置ＣＯＮＴでは、この静電容量の変化する位置の移動（移動方向、移動距離及び移動速度）についても検出可能となっている。
【００１８】
図４は、携帯情報端末ＥＱＰを背面Ｆｆ側から見たときの図である。  
図４に示すように、携帯情報端末ＥＱＰの背面Ｆｆには、背面検出部ＢＤが設けられている。背面検出部ＢＤは、背面Ｆｆの表面に露出する背面電極３０を有している。背面電極３０は、背面Ｆｆのうち図中左下の角部に配置されている。背面電極３０は、背面側から見て矩形（例えば正方形）に形成されている。
【００１９】
図４には、背面Ｆｆの中央部（基準位置）Ｃが示されている。背面電極３０は、背面Ｆｆに設定される中央部Ｃを基準として図中左右方向（第一方向）Ｒ１の一方側（左側）にのみ配置されており、他方側（右側）には配置されていない構成となっている。このように、背面電極３０は、中央部Ｃを基準として第一方向Ｒ１の左側と右側とで非対称となる形状に形成されている。
【００２０】
また、背面電極３０は、背面Ｆｆに設定される中央部Ｃを基準として図中上下方向（第二方向）Ｒ２の一方側（下側）にのみ配置されており、他方側（上側）には配置されていない構成となっている。このように、背面電極３０は、中央部Ｃを基準として第二方向Ｒ２の下側と上側とで非対称となる形状に形成されている。
【００２１】
図５は、背面検出部ＢＤの断面構成を示す図である。  
図５に示すように、背面検出部ＢＤは、背面電極３０の下層側に、絶縁層３１及び内部電極３２を有している。背面検出部ＢＤは、背面電極３０と内部電極３２との間で形成される容量を検出する容量電極を有している。各容量電極は、それぞれ制御装置ＣＯＮＴに接続されている。
【００２２】
図６は、制御装置ＣＯＮＴの構成を示すブロック図である。  
図６に示すように、制御装置ＣＯＮＴは、制御部５１、入力部５２、出力部５３、記憶部５４、通信部５５及び電源部５６を有している。
【００２３】
制御部５１は、携帯情報端末ＥＱＰの統括的な演算処理を行う。
入力部５２は、携帯情報端末ＥＱＰに対して入力を行う部分である。入力部５２としては、上記の背面検出部ＢＤや側部検出部ＳＤ１〜ＳＤ４、表示部検出部５２ｂ、また、入力部５２として、例えば姿勢検出部５２ｃなどのセンサが設けられている。この他、入力部５２として、例えばマイクなどの不図示の音声入力部が設けられていても構わない。
【００２４】
表示部検出部５２ｂは、タッチパネルＴＰにおける接触の有無及び接触位置を検出する。姿勢検出部５２ｃは、携帯情報端末ＥＱＰの姿勢を検出するセンサである。姿勢検出部５２ｃとしては、例えば３軸加速度センサやジャイロセンサ、地磁気センサなどが設けられている。
【００２５】
出力部５３は、画像や音声などを出力する。出力部５３としては、例えば画像を表示する上記の表示部ＤＰや、スピーカー（不図示）のような音声を出力する音声出力部５３ｂなどが挙げられる。記憶部５４は、制御部５１による演算結果や入力部５２に入力させる入力情報、出力部５３によって出力させる出力情報（例、画像データ、音声データ）、通信部５５を介して通信する情報などを記憶する。
【００２６】
通信部５５は、外部との間で有線方式及び無線方式のうち少なくとも一方の方式によって情報の通信が可能となるように構成されている。
電源部５６は、携帯情報端末ＥＱＰに電力を供給するための電源が配置されている。電源部５６としては、例えば電池やバッテリー等が挙げられる。
【００２７】
例えばユーザーの手などが背面電極３０に接触すると、背面電極３０のうち接触された部分と内部電極３２との間の静電容量が変化する。また、背面電極３０に接触していたユーザーの手などの接触状態が解除されると、背面電極３０と内部電極３２との間の静電容量が元の状態に戻るようになっている。背面電極３０に対する接触面積が大きいほど、静電容量の変化量は大きくなる。
【００２８】
図７及び図８は、ユーザーが携帯情報端末ＥＱＰを手で保持した場合において、ユーザーの手のひらと携帯情報端末ＥＱＰの背面Ｆｆとの接触領域を示す図である。なお、図７はユーザーが右手で携帯情報端末ＥＱＰを保持した場合を示しており、図８はユーザーが左手で携帯情報端末ＥＱＰを保持した場合を示している。
【００２９】
図７に示すように、ユーザーが右手で携帯情報端末ＥＱＰを保持する場合、例えば第一方向Ｒ１の右側の方が、左側に比べて接触領域４１が広くなる傾向にある。この場合、ユーザーの右手の手のひらは、第一方向Ｒ１の左側に配置されている背面電極３０の一部に接触する。
【００３０】
一方、図８に示すように、ユーザーが左手で携帯情報端末ＥＱＰを保持する場合、例えば第一方向Ｒ１の左側の方が、右側に比べて接触領域４２が広くなる傾向にある。この場合、ユーザーの左手の手のひらは、第一方向Ｒ１の左側に配置されている背面電極３０のほぼ全面に接触する。
【００３１】
背面検出部ＢＤでは、背面電極３０とユーザーの手との接触領域の大きさに応じて静電容量が変化する。このため、例えば図７に示す場合（手が背面電極３０の一部に接触する場合）には、図８に示す場合（手が背面電極３０の全部に接触する場合）に比べて、静電容量の変化量は小さくなる。
【００３２】
このような静電容量の変化は、制御装置ＣＯＮＴに送信される。制御装置ＣＯＮＴでは、この静電容量の変化量を検出することにより、携帯情報端末ＥＱＰを保持するユーザーの手が左右のいずれであるかを判別する。なお、ユーザーによって携帯情報端末ＥＱＰの保持の仕方が異なる場合がある。例えば、上記の例とは逆に、右手で携帯情報端末ＥＱＰを保持する場合には、図８に示すように背面電極３０のほぼ全面に接触し、左手で携帯情報端末ＥＱＰを保持する場合には、図７に示すように背面電極３０の一部に接触する場合などが想定されうる。このため、背面検出部ＢＤの検出結果に対して、携帯情報端末ＥＱＰを保持する手がいずれであるかを設定できるようにしても構わない。
【００３３】
以上のように、本実施形態に係る携帯情報端末ＥＱＰは、筐体ＦＬの背面Ｆｆに設けられ、背面Ｆｆにおける接触の有無及び接触位置を検出する背面電極３０を備える。そのため、ユーザーが携帯情報端末ＥＱＰを保持する際におけるユーザーの手と背面電極３０との接触の有無及び接触位置を検出することができる。この検出により、接触部分の大きさを検出することができるので、この結果をもとにユーザーが携帯情報端末ＥＱＰを左右のいずれの手で保持しているかを判別することが可能となる。
【００３４】
本発明の技術範囲は上記実施形態に限定されるものではなく、本発明の趣旨を逸脱しない範囲で適宜変更を加えることができる。  
上記実施形態においては、背面検出部ＢＤの構成として、接触によって静電容量が変化するのを検出する構成を例に挙げて説明したが、これに限られることは無い。例えば、接触によって電圧が変化するのを検出する構成（例えば、抵抗膜方式のタッチセンサ等）としても構わない。また、背面検出部ＢＤの構成として、電極を設ける構成の他、例えば表面弾性波方式や赤外線方式など、電極を設けない構成であっても構わない。
【００３５】
また、上記実施形態においては、表示部ＤＰの表面にタッチパネルＴＰが設けられた構成を例に挙げて説明したが、これに限られることは無く、タッチパネルＴＰが設けられない構成であっても構わない。この場合、操作部ＳＤに設けられる側部検出部ＳＤ１〜ＳＤ４を用いて操作する構成となる。この構成により、タッチパネルＴＰを設けなくても高い操作性を得ることができるため、携帯情報端末の低コスト化を図ることができる。
【００３６】
また、上記実施形態において、背面検出部ＢＤの背面電極３０が矩形に形成され、背面Ｆｆの角部に１つ配置された構成を例に挙げて説明したが、これに限られることは無く、背面電極３０の形状や配置、個数については、他の形態であっても構わない。
【００３７】
図９〜図１６は、携帯情報端末ＥＱＰの背面Ｆｆの構成を示す図（背面図）である。  
図９に示す構成において、背面電極３０ａは、背面側から見て三角形に形成されている。この背面電極３０ａは、第一方向Ｒ１の中央部を跨ぐように図中左側端部から右側端部にかけて帯状に形成されている。また、背面電極３０ａは、第一方向Ｒ１の図中左側から右側へ向けて徐々に細くなるように形成されている。
【００３８】
このように背面電極３０ａは、中央部Ｃを基準として第一方向Ｒ１の左側に広がった構成となっている。このため、背面電極３０ａは、中央部Ｃを基準として第一方向Ｒ１の左側と右側とで非対称となる形状に形成されている。また、背面電極３０ａは、中央部Ｃを基準として第二方向Ｒ２の下側にのみ配置されており、上側には配置されていない構成となっている。このように、背面電極３０ａは、中央部Ｃを基準として第二方向Ｒ２の下側と上側とで非対称となる形状に形成されている。
【００３９】
なお、図９では、背面電極３０が第二方向Ｒ２の図中下側に配置された構成を例に挙げているが、これに限られることは無く、例えば図中破線部３０ｂに示すように、第二方向Ｒ２の図中上側に配置された構成であっても構わない。この場合、例えば、第一方向Ｒ１について、図中右側から左側へ向けて徐々に細くなるように形成された構成とすることができる。
【００４０】
また、図１０に示す構成において、背面検出部ＢＤは、背面電極３０ａ及び背面電極３０ｂを有している。背面電極３０ａ及び背面電極３０ｂは、背面側から見てそれぞれ三角形に形成されている。これら背面電極３０ａ及び背面電極３０ｂは、第一方向Ｒ１の中央部を跨ぐように図中左側端部から右側端部にかけて帯状に形成されている。
【００４１】
一方、背面電極３０ａは、第一方向Ｒ１の図中左側から右側へ向けて徐々に細くなるように形成されている。また、背面電極３０ｂは、第一方向Ｒ１の図中右側から左側へ向けて徐々に細くなるように形成されている。背面電極３０ａ及び背面電極３０ｂは、互いの斜辺同士が平行に対向するように第二方向Ｒ２に並んで配置されている。
【００４２】
このように、背面検出部ＢＤは、背面電極３０ａが中央部Ｃを基準として第一方向Ｒ１の左側に広がった構成となっており、背面電極３０ｂが中央部Ｃを基準として第一方向Ｒ１の右側に広がった構成となっている。このため、背面電極３０ａ及び背面電極３０ｂは、中央部Ｃを基準として第一方向Ｒ１の左側と右側とで非対称となる形状に形成されている。また、背面電極３０ａ及び背面電極３０ｂは、中央部Ｃを基準として第二方向Ｒ２の下側にのみ配置されており、上側には配置されていない構成となっている。このように、背面電極３０ａ及び背面電極３０ｂは、中央部Ｃを基準として第二方向Ｒ２の下側と上側とで非対称となる形状に形成されている。
【００４３】
なお、図１０では、背面電極３０が第二方向Ｒ２の図中下側に配置された構成を例に挙げているが、これに限られることは無く、図９に示す場合と同様、第二方向Ｒ２の図中上側に配置された構成であっても構わない。
【００４４】
また、図１１に示す構成において、背面検出部ＢＤは、背面電極３０ａ及び背面電極３０ｂを有している。背面電極３０ａ及び背面電極３０ｂは、背面側から見てそれぞれ三角形に形成されている。
【００４５】
背面電極３０ａは、第一方向Ｒ１の中央部を跨ぐように図中左側端部から右側端部にかけて帯状に形成されている。背面電極３０ａは、矩形に形成された背面Ｆｆのうち図中下側の辺に沿って配置されている。背面電極３０ａは、第一方向Ｒ１の図中左側から右側へ向けて徐々に細くなるように形成されている。
【００４６】
背面電極３０ｂは、第二方向Ｒ２の中央部を跨ぐように図中下側端部から上側端部にかけて帯状に形成されている。背面電極３０ｂは、背面Ｆｆのうち図中左側の辺に沿って配置されている。背面電極３０ｂは、第二方向Ｒ２の図中下側から上側へ向けて徐々に細くなるように形成されている。
【００４７】
背面電極３０ａ及び背面電極３０ｂは、背面Ｆｆのうち図中左下の角部において近接して配置されている。背面電極３０ａ及び背面電極３０ｂは、この図中左下の角部において接続されている構成であっても構わないし、分離されている構成であっても構わない。なお、背面電極３０ａと背面電極３０ｂとの間は、分離されている場合の方が、検出感度が向上する。
【００４８】
このように、背面検出部ＢＤは、背面電極３０ａが中央部Ｃを基準として第一方向Ｒ１の左側に広がった構成となっている。背面電極３０ｂは、中央部Ｃを基準として図中左側にのみ配置されており、右側には配置されていない。このため、背面電極３０ａ及び背面電極３０ｂは、中央部Ｃを基準として第一方向Ｒ１の左側と右側とで非対称となる形状に形成されている。
【００４９】
また、背面電極３０ａは、中央部Ｃを基準として図中下側にのみ配置されており、上側には配置されていない。また、背面電極３０ｂが中央部Ｃを基準として第二方向Ｒ２の下側に広がった構成となっている。このように、背面電極３０ａ及び背面電極３０ｂは、中央部Ｃを基準として第二方向Ｒ２の下側と上側とで非対称となる形状に形成されている。
【００５０】
また、図１２に示す構成において、背面検出部ＢＤは、背面電極３０ａを有している。
背面電極３０ａは、背面側から見て三角形に形成されている。背面電極３０ａは、背面Ｆｆの左下側から右上側にかけて中央部Ｃを跨ぐように帯状に形成されている。背面電極３０ａは、背面電極３０ａは、図中左下側から右上側へ向けて徐々に細くなるように形成されている。
【００５１】
このように、背面検出部ＢＤは、背面電極３０ａが中央部Ｃを基準として背面Ｆｆの左下側から右上側に広がった構成となっている。また、背面電極３０ａは、中央部Ｃを基準として背面Ｆｆの左下側及び右上側にのみ配置されており、背面Ｆｆの右下側及び左上側には配置されていない。このため、背面電極３０ａは、中央部Ｃを基準として第一方向Ｒ１の左側と右側とで非対称となる形状に形成されている。また、背面電極３０ａは、中央部Ｃを基準として第二方向Ｒ２の下側と上側とで非対称となる形状に形成されている。
【００５２】
また、図１３に示す構成においては、図１２に示す構成に対して、背面電極３０ｂ及び背面電極３０ｃを加えた構成となっている。背面電極３０ｂ及び背面電極３０ｃは、背面側から見て三角形に形成されており、図中上側から下側へかけて第二方向Ｒ２の中央部を跨ぐように帯状に形成されている。背面電極３０ｂ及び背面電極３０ｃは、図中上側から下側にかけて徐々に細くなるように形成されている。
【００５３】
この場合においても、背面電極３０ａ、背面電極３０ｂ及び背面電極３０ｃは、中央部Ｃを基準として第一方向Ｒ１の左側と右側とで非対称となる形状に形成されている。また、背面電極３０ａ、背面電極３０ｂ及び背面電極３０ｃは、中央部Ｃを基準として第二方向Ｒ２の下側と上側とで非対称となる形状に形成されている。
【００５４】
また、図１４に示す構成において、背面検出部ＢＤは、背面電極３０ａ及び背面電極３０ｂを有している。背面電極３０ａ及び背面電極３０ｂは、背面側から見て共に矩形（正方形）に形成されている。背面電極３０ａは、上記実施形態における背面電極３０と同一の位置に設けられている。背面電極３０ｂは、背面Ｆｆの右上の角部に設けられている。
【００５５】
この場合においても、背面電極３０ａ及び背面電極３０ｂは、中央部Ｃを基準として第一方向Ｒ１の左側と右側とで非対称となる形状に形成されている。また、背面電極３０ａ及び背面電極３０ｂは、中央部Ｃを基準として第二方向Ｒ２の下側と上側とで非対称となる形状に形成されている。
【００５６】
また、図１５に示す構成において、背面検出部ＢＤは、背面電極３０ａ、背面電極３０ｂ及び背面電極３０ｃを有している。背面電極３０ａ、背面電極３０ｂ及び背面電極３０ｃは、背面側から見てそれぞれ矩形（正方形）に形成されている。背面電極３０ａ、背面電極３０ｂ及び背面電極３０ｃの寸法については、少なくとも１つが異なる寸法であっても構わない。
【００５７】
背面電極３０ａは、上記実施形態における背面電極３０と同一の位置（背面Ｆｆの左下の角部）に設けられている。背面電極３０ｂは、背面Ｆｆの左上の角部に設けられている。背面電極３０ｃは、背面Ｆｆの右下の角部に設けられている。なお、背面電極３０ａ〜３０ｃのうちいずれか１つの代わりに、背面電極３０ｄが背面Ｆｆの右上の角部（図中破線で示す位置）に配置された構成であっても構わない。
【００５８】
この場合においても、背面電極３０ａ、背面電極３０ｂ及び背面電極３０ｃ（背面電極３０ｄ）は、中央部Ｃを基準として第一方向Ｒ１の左側と右側とで非対称となる形状に形成されている。また、背面電極３０ａ、背面電極３０ｂ及び背面電極３０ｃ（背面電極３０ｄ）は、中央部Ｃを基準として第二方向Ｒ２の下側と上側とで非対称となる形状に形成されている。
【００５９】
また、図１６に示す構成において、背面検出部ＢＤは、背面電極３０ａ、背面電極３０ｂ及び背面電極３０ｃを有している。背面電極３０ａは、背面側から見て矩形（正方形）に形成されている。背面電極３０ｂ及び背面電極３０ｃは、背面側から見て三角形に形成されている。
【００６０】
背面電極３０ｃは、図中上側から下側へかけて第二方向Ｒ２の中央部を跨ぐように帯状に形成されている。背面電極３０ｃは、背面Ｆｆの左側の辺に沿って配置されており、図中上側から下側にかけて徐々に細くなるように形成されている。背面電極３０ｂは、背面Ｆｆの下側の辺に沿って配置されており、図中右側から左側へかけて第一方向Ｒ１の中央部を跨ぐように帯状に形成されている。背面電極３０ｂは、図中右側から左側にかけて徐々に細くなるように形成されている。背面電極３０ｂと背面電極３０ａとの間は、接続されていても構わないし、分離されていても構わない。同様に、背面電極３０ｃと背面電極３０ａとの間は、接続されていても構わないし、分離されていても構わない。
【００６１】
この場合においても、背面電極３０ａ、背面電極３０ｂ及び背面電極３０ｃ（背面電極３０ｄ）は、中央部Ｃを基準として第一方向Ｒ１の左側と右側とで非対称となる形状に形成されている。また、背面電極３０ａ、背面電極３０ｂ及び背面電極３０ｃ（背面電極３０ｄ）は、中央部Ｃを基準として第二方向Ｒ２の下側と上側とで非対称となる形状に形成されている。
【符号の説明】
【００６２】
ＥＱＰ…携帯情報端末  ＦＬ…筐体  ＤＰ…表示部  ＣＯＮＴ…制御装置  ＰＮ…表示パネル  Ｆｅ…表示面  Ｆｆ…背面  ＢＤ…背面検出部  Ｃ…中央部  Ｒ１…第一方向  Ｒ２…第二方向  ２０…検出領域  ３０…背面電極  ３０ａ〜３０ｄ…背面電極  ３１…絶縁層  ３２…内部電極  ４１…接触領域  ４２…接触領域
【図１】
2013084820.tif 000003
【図２】
2013084820.tif 000004
【図３】
2013084820.tif 000005
【図４】
2013084820.tif 000006
【図５】
2013084820.tif 000007
【図６】
2013084820.tif 000008
【図７】
2013084820.tif 000009
【図８】
2013084820.tif 000010
【図９】
2013084820.tif 000011
【図１０】
2013084820.tif 000012
【図１１】
2013084820.tif 000013
【図１２】
2013084820.tif 000014
【図１３】
2013084820.tif 000015
【図１４】
2013084820.tif 000016
【図１５】
2013084820.tif 000017
【図１６】
2013084820.tif 000018
【国際調査報告】
2013084820.tif 000019
2013084820.tif 000020